(57)【要約】【課題】映画撮影の撮像装置、特に遠隔操作する為の電動駆動装置は、廻りの多くの機材の組み合わせを調整しながら組み上げる為、設置時間が多くかかる。【解決手段】レンズの支持部材に電動駆動用の駆動機構を内装し、支持部材の取付と同時に装着可能としたことを特徴とする構成とした。【選択図】図１
2017083722.tif 000002
【特許請求の範囲】
【請求項１】
撮像装置を支持する支持連結手段を有する支持装置において、
撮像装置に付設された駆動伝達機構を介して動力を伝達する駆動手段を有することを特徴とする撮像装置の支持装置。
【請求項２】
該撮像装置の支持装置には、撮像装置用の操作部材の固定に用いる複数の支柱に連結する為の固定部を有することを特徴とする請求項１に記載の撮像装置の支持装置。
【請求項３】
該駆動手段は、装着する撮像装置の駆動伝達機構との距離に応じて、間隔調整が可能な手段を有する請求項１又は請求項２に記載の撮像装置の支持装置。
【発明の詳細な説明】
【技術分野】
【０００１】
本発明は、レンズ支持装置に関するもので、特にレンズ支持装置にレンズを駆動する駆動手段を有するものである。
【背景技術】
【０００２】
超望遠撮影を行うレンズや、映画撮影などに用いられるレンズでは、レンズ本体の質量が大きく、カメラだけではなくレンズ自体も支持する事が一般的である。
【０００３】
特に映画撮影では主に遠隔操作撮影を行う際に、レンズ周りに焦点調整、変倍、絞りを電動で駆動する駆動装置や、被駆動部の変位検出を行う変位検出装置を装着して撮影が為される。
【０００４】
特許文献１には、レンズ支持装置を用いて上述のレンズ、及び周辺装置を構成する、ロッドを用いたレンズ支持方法が記載されており、レンズに対して複数の組み合わせに対応する撮像装置の固定方法が示されている。
【先行技術文献】
【特許文献】
【０００５】
【特許文献１】欧州特許出願公開第１７０８０２０号明細書
【発明の概要】
【発明が解決しようとする課題】
【０００６】
特許文献１で提示されるようなロッドを用いた撮影システムは、特に映画の撮影において代表的に使用されている。
【０００７】
映画撮影用の機材では、撮影の為のレンズ周りの周辺機材を数多く必要とする。手動操作では困難な一定速度の操作の為の電動操作部材を始め、フィルター効果や遮光効果の為のマットボックスなどがレンズ周りに配される。それら全ての撮影機材を組み上げる際には、取付調整が必須であり、時間を要してしまう。
【０００８】
更に撮影後の映像処理の為に、様々なレンズ情報を検出する外部装置も撮像装置に取り付けられるので、レンズ周りの限定された領域の中での組付け位置調整に時間を要してしまう。
【０００９】
近年映画撮影用の機材は元来の映画だけでなくCMやドラマの撮影にも用いられており、撮影費用全体のダウンサイジングが進む中、撮影機材の組み上げ時間の長さが大きな課題となっている。特に映画撮影の機材はその撮影スタイルとして画質に拘った撮影を行う為に、撮影環境で最適なレンズに都度交換されるが、その度に組み上げ・調整を行う為、総合的に組み上げに時間を割いてしまう事が不可避であった。
【００１０】
そこで、本発明の目的は、レンズを含む撮像装置を電動操作するシステムを組み上げる時間を削減する事が可能なレンズ支持装置を提供することにある。
【課題を解決するための手段】
【００１１】
上記の目的を達成する為に、本発明に係る撮像装置の支持装置は、
撮像装置を指示する指示連結手段を有する支持装置において、撮像装置に付設された駆動伝達機構を介して動力を伝達する単数、または複数の駆動手段を有することを特徴とする。
【発明の効果】
【００１２】
本発明によれば、レンズ支持装置が映画撮影における装置組み上げの汎用性を確保しつつ、電動駆動装置の装着時間を大幅に短縮する事が可能となるレンズ支持装置を提供することが出来る。
【図面の簡単な説明】
【００１３】
【図１】本発明の第一の実施例であるレンズ支持装置及び撮像装置の概略図
【図２】第一の実施例におけるレンズ支持装置のA視図
【図３】第一の実施例におけるレンズ支持装置の要部構成図
【図４】第一の実施例におけるレンズ支持装置の組立フロー図
【図５】本発明の第二の実施例であるレンズ支持装置及び撮像装置の概略図
【図６】第二の実施例におけるレンズ支持装置のB視図
【図７】第二の実施例におけるレンズ支持装置の組立フロー図
【発明を実施するための形態】
【００１４】
以下に本発明の好ましい実施の形態を、添付の図面に基づいて詳細に説明する。
【００１５】
図１は本発明の実施形態に関わるレンズ支持装置の構造説明図であり、図２は図１のＡ方向からの視図であり、図３は本発明のレンズ支持装置単体の要部詳細図である。また図４は本発明のレンズ支持装置を組み立てる手順説明図である。
【実施例１】
【００１６】
以下、図１〜図４を参照して、本発明の第一の実施例に拠る、駆動機構を有する撮像装置の支持装置について説明する。
【００１７】
図１に示すように、１はレンズ、２はカメラ、３はレンズに付設されたレンズ支柱、４は該カメラ２を三脚等に固定する際のカメラ支持台、５は本発明によるレンズ支持装置である。
【００１８】
該レンズ支持装置５には、モーターや減速機構等の駆動機構が内包された駆動部６、該レンズ１に付設されたギア７と螺合し、所定の位置関係に配されたギア８が付設されている。
【００１９】
該カメラ支持台３には、汎用的なアクセサリーを装着する為のロッド９へ該レンズ支持装置５を固定する為の固定つまみ１０が敷設されている。
【００２０】
加えて図２に示す該カメラ支持部材５の主要構成として、該レンズ支持装置５が該レンズ１を支持する為に該レンズ支柱３に固定する為の取付つまみ１１が敷設されている。
【００２１】
また図３に示すように該レンズ支持装置５には電源供給、通信機能の為のコネクタ１２が敷設され、該カメラ２、又は該カメラ２とは異なる電力を用いて、該駆動部６による電気的な駆動や検出情報の授受を行う事が出来る。
【００２２】
次に本実施例におけるレンズ支持装置５を用いた撮影システムの組み上げについて説明する。
【００２３】
図４はレンズ支持装置５をレンズ１に装着し、電動駆動を行う迄の組み上げ手順の説明図である。
【００２４】
カメラ支持台４にカメラ２、ロッド９を装着（０１０１）した後、続いてレンズ１を装着する（０１０２）。
【００２５】
レンズ支持装置５上のギア８を、レンズに付設されたギア７に噛み合わせ（０１０３）、ロッド９上にレンズ支持装置５を連結し、レンズ２上のレンズ支柱３で連結するように位置合わせして固定する（０１０４）。
【００２６】
レンズ支持装置５の固定が完了すると、レンズ支持装置５に電源を投入し（０１０５）、所定の初期化調整を行う（０１０６）。
【００２７】
上記行程を経て撮影装置全体の組み上げが完了（０１０７）、撮影者が撮影可能な状態となる。
【００２８】
本レンズ支持装置５では、対象となるレンズ２に対してギア７、及びギア８が連結する位置関係が、予め定められている為、装着に際してガタ調整等を行う必要が無い構成となっている。
【００２９】
以上説明したように、レンズを電動駆動する為の駆動ユニットが付設されたレンズ支持装置を用いる事で、従来レンズ支持を行った後に実施していた電動駆動手段の装着、調整の手順を一括して完了させる事が可能となる。従って撮影者は駆動部の位置調整の為の試行錯誤の工程が簡略出来、撮像装置組み上げ時間を短縮可能な構造を提供する事が出来る。
【００３０】
上述の実施例に拠れば、レンズの電動駆動手段による電動駆動可能な撮影状態をレンズの支持部材の装着時に実現出来る効果が得られる。また、レンズ支持装置上に電動駆動手段が構成されることにより、レンズ側面の領域が解放される位置関係を確保する事が可能で、レンズ上の指標の視認性、手動操作する時の操作領域の確保等、撮影者の操作性を向上する効果が得られる。同時にレンズ側面の領域を確保する事で、撮影者が駆動部材以外の所望の操作部材の装着における汎用性を高める効果も得ることが可能である。
【実施例２】
【００３１】
以下、図５から図7を参照して、本発明の第二の実施例に拠る、駆動部材を有するレンズ支持装置において、実施例１と同一の構成内容に関しては同一の番号を用いて説明する。
【００３２】
図５に示すように、レンズ支持装置１３には、駆動機構が内包され所定の可動領域を有する調整部１４、該レンズ１に付設されたギア７に螺合するギア１５が付設される。
【００３３】
更に図６（ａ）又は図６（ｂ）に示すように、該調整部１４の調整時に把持する把持つまみ１６、該調整部１４の可動・固定を切り替える固定つまみ１７が付設される。
【００３４】
次に本提案におけるレンズ支持装置１３を用いた撮影システムの組み上げについて説明する。
【００３５】
図７はレンズ支持装置１３をレンズ１に装着し、電動駆動を行う迄の組み上げフローの説明図である。
【００３６】
カメラ支持台４とカメラ２、ロッド９を装着（０２０１）、続いてレンズ１を装着する（０２０２）。
【００３７】
レンズ２上のレンズ支柱３で連結するように、ロッド９上にレンズ支持装置１３を位置合わせして装着する（０２０３）。
【００３８】
その際図６（a）に示すように、レンズ上のギア７と、レンズ支持装置上のギア１５が噛み合っていない場合、固定つまみ１７を解除、把持つまみ１６を用いて調整部１４を操作する。（０２０４→０２０５）
その後図６（ｂ）に示すように、調整後はギア７及び１５が噛み合った状態となり、固定ツマミ１７を再び固定する。（０２０４→０２０６）
ギア調整が完了すると、レンズ支持装置１３に電源を投入し、所定の初期化調整を行う（０２０７）。
【００３９】
上記行程を経て組み上げが完了する（０２０８）。
【００４０】
以上説明したように、レンズに付設されたギアとレンズ支持装置のギアとが噛み合わない状態で取り付けられても、レンズ支持装置側でギア噛み合いの調整を行う構成を取る事で、取付対象となるレンズの種類を拡大させる事が可能となる。
【００４１】
本実施例のレンズ支持装置では、レンズ全長が異なる場合でも、ロッド上の配置が自在である為ギア噛み合いの汎用性を確保する事が可能となっている。
また実施例１と同様に、レンズを電動駆動する為の駆動ユニットを内容したレンズ支持装置を用いる事で、従来レンズ支持を行った後に実施していた電動駆動手段の装着、調整の手順を一括して実施する事が可能となる。従って、撮影者が所望するギア位置が異なる仕様のレンズを装着する場合においても、撮像装置全体の組み上げ時間が短縮可能な構造を提供する事が出来る。
【００４２】
上述の実施例に拠れば、全長や外径が異なるギア仕様を有するレンズにおいても、レンズの電動駆動手段をレンズの支持部材の装着時に同時に準備できる効果が得られる。
【００４３】
以上、本発明の好ましい実施形態について説明したが、本発明はこれらの実施形態に限定されず、その要旨の範囲内で種々の変形及び変更が可能である。
【符号の説明】
【００４４】
１  レンズ、２  カメラ、３  カメラ支柱、４  カメラ支持台、
５，１３  レンズ支持装置、６  駆動部、７，８，１５  ギア、９  ロッド、
１０  固定つまみ、１１  取付つまみ、１２  コネクタ、１４  調整部、
１６  把持つまみ、１７  固定つまみ
【図１】
2017083722.tif 000003
【図２】
2017083722.tif 000004
【図３】
2017083722.tif 000005
【図４】
2017083722.tif 000006
【図５】
2017083722.tif 000007
【図６】
2017083722.tif 000008
【図７】
2017083722.tif 000009